(57)【特許請求の範囲】
【請求項１】
シート状に配列された複数本の中空糸膜と、前記中空糸膜の一端側を固定し、前記中空糸膜の上方に配される第１ハウジングと、前記中空糸膜の他端側を固定し、前記中空糸膜の下方に配される第２ハウジングと、有する平型中空糸膜エレメントであって、
前記第１ハウジングは、ろ過水を流す取水口を備え、
前記取水口が、前記取水口の上部内面と、前記第１ハウジングの上部内面の少なくとも一部とが、水平方向で同一面上に位置するように配置され、
前記取水口は、前記中空糸膜が配列される方向に沿う前記第１ハウジングの延在方向に突出して設けられ、
前記第１ハウジングは、前記取水口を設けた側に、前記中空糸膜が配列される方向に沿う前記第１ハウジングの延在方向に突出する第１突起部を有するとともに、前記取水口を設けた側の反対側に、前記第１ハウジングの前記延在方向に突出する第２突起部を有し、 前記第２ハウジングは、前記第１ハウジングの前記取水口を設けた側に、前記中空糸膜が配列される方向に沿う前記第２ハウジングの延在方向に突出する第３突起部を有するとともに、前記第３突起部の反対側に平板状の取付け部を有する平型中空糸膜エレメント。
【請求項２】
前記第１突起部、第２突起部及び第３突起部のうちの少なくともいずれか一つの突起部の嵌め込み軸方向の垂直断面が非円形形状であり、外周に周方向に沿って溝が形成され、前記溝に弾性体が嵌め込まれる請求項１に記載の平型中空糸膜エレメント。
【請求項３】
上記請求項１〜２のいずれか１項に記載の平型中空糸膜エレメントを備える浸漬型水処理装置。
【請求項４】
シート状に配列された複数本の中空糸膜と、前記中空糸膜の一端側を固定し、前記中空糸膜の上方に配される第１ハウジングと、前記中空糸膜の他端側を固定し、前記中空糸膜の下方に配される第２ハウジングと、有する平型中空糸膜エレメントであって、
前記第１ハウジングは、ろ過水を流す取水口を備え、
前記取水口が、前記取水口の上部内面と、前記第１ハウジングの上部内面の少なくとも一部とが、水平方向で同一面上に位置するように配置された平型中空糸膜エレメントに用いられ、
エレメント保持部と支柱と台車からなる中空糸膜エレメント保持装置であって、
前記エレメント保持部が前記平型中空糸膜エレメントの第１ハウジングの上部内面と係合するように構成されていることを特徴とする中空糸膜エレメント保持装置。
【発明の詳細な説明】
【技術分野】
【０００１】
本発明は、浸漬型水処理装置に用いられる平型中空糸膜エレメント及び浸漬型水処理装置に関する。
本願は、２０１１年９月１２日に、日本に出願された特願２０１１−１９８２５７号に基づき優先権を主張し、その内容をここに援用する。
【背景技術】
【０００２】
浄水、排水処理を目的とした浸漬型水処理装置が従来から実用化されている（例えば特許文献１、２参照）。特許文献１、２に開示されるように、この種の浸漬型水処理装置は一般に、ろ過膜を組み込んだ膜エレメントをフレームに複数設置し、この膜エレメントを複数設置したフレームを処理槽内に配した散気装置の上方に配することで構成されている。【０００３】
また、特許文献１、２に開示されるように膜エレメントには、シート状の膜体を用いるものや、中空糸膜を用いるものがある。特許文献１に開示される膜エレメントは、膜体が膜板に四方から囲われて構成されている。また、特許文献２に開示される中空糸膜エレメントは、複数本に纏められた中空糸膜１０の一端側を中空糸膜閉塞部材１２で固定し、他端側を中空糸膜固定部材１１で固定した上で、筒状容器に収容し、筒状容器の上部で中空糸膜固定部材１１を支持することで構成されている。
【先行技術文献】
【特許文献】
【０００４】
【特許文献１】特開２００９−１４８７４３号公報
【特許文献２】特開２００９−２２００１０号公報
【発明の概要】
【発明が解決しようとする課題】
【０００５】
ところで、膜エレメントは体積当りの処理量の増加が求められ、特許文献２に係る中空糸膜エレメントにおいて筒状容器を取り外せば、筒状容器が無い分、中空糸膜固定部材１１及び中空糸膜閉塞部材１２に配設する中空糸膜１０を多くすることができ、浸漬型水処理装置の体積当りの処理量を大きくすることができる。
しかしながら、このような構成は、中空糸膜固定部材１１及び中空糸膜閉塞部材１２間が中空糸膜１０で連結されるのみであるため、安定性がなく、移動作業や組付け作業に際しての取扱い性が良好とは言いがたい。【０００６】
本発明は係る実情に鑑みてなされたものであり、移動作業や組付け作業に際しての取扱い性を良好に維持しながら、中空糸膜の高密度化を図ることができる平型中空糸膜エレメント及び浸漬型水処理装置の提供を目的とする。
【課題を解決するための手段】
【０００７】
上記課題の解決手段として、本発明の第１の側面は、シート状に配列された複数本の中空糸膜と、前記中空糸膜の一端側を固定し、前記中空糸膜の上方に配される第１ハウジングと、前記中空糸膜の他端側を固定し、前記中空糸膜の下方に配される第２ハウジングと、有する平型中空糸膜エレメントであって、前記第１ハウジングは、ろ過水を流す取水口を備え、前記取水口が、前記取水口の上部内面と、前記第１ハウジングの上部内面の少なくとも一部とが、水平方向で同一面上に位置するように配置された平型中空糸膜エレメントである。【０００８】
上記平型中空糸膜エレメントでは、前記取水口が、前記取水口の上部内面と、前記第１ハウジングの上部内面全域とが、水平方向で同一面上に位置するように配置されてもよい。また、上記平型中空糸膜エレメントでは、前記第１ハウジングの上部内面が、少なくとも１つ以上の荷重受け部材を含み、荷重受け部材が、前記荷重受け部材の下面が、前記取水口の上部内面と水平方向で同一面上に位置するように配置されてもよい。【０００９】
また、上記平型中空糸膜エレメントでは、前記取水口は、前記中空糸膜が配列される方向に沿う前記第１ハウジングの延在方向に突出して設けられていてもよい。
この場合に、前記第１ハウジングの上部内面のうち、前記突出した取水口の接合部付近が、前記取水口の上部内面と水平方向で同一面上に位置するように配置するのが好ましい。
また、上記平型中空糸膜エレメントでは、前記第１ハウジングは、前記取水口を設けた側に、前記中空糸膜が配列される方向に沿う前記第１ハウジングの延在方向に突出する第１突起部を有するとともに、前記取水口を設けた側の反対側に、前記第１ハウジングの前記延在方向に突出する第２突起部を有し、前記第２ハウジングは、前記第１ハウジングの前記第２突起部を設けた側に、前記中空糸膜が配列される方向に沿う前記第２ハウジングの延在方向に突出する第３突起部を有するとともに、前記第１ハウジングの前記取水口を設けた側に平板状の取付け部を有することが好ましい。
さらに、前記第１突起部、２突起部及び第３突起部のうちの少なくともいずれか一つの突起部の嵌め込み軸方向の垂直断面が非円形形状であり、外周に周方向に沿って溝が形成され、前記溝に弾性体が嵌め込まれることが好ましい。【００１０】
また、本発明の第２の側面は、上記記載の平型中空糸膜エレメントを備える浸漬型水処理装置である。【００１１】
本発明の第３の側面は、エレメント保持部と支柱と台車からなる中空糸膜エレメント保持装置であって、前記エレメント保持部が前記中空糸膜エレメントの第１ハウジングの上部内面と係合するように構成されていることを特徴とする中空糸膜エレメント保持装置である。
【発明の効果】
【００１２】
本発明の平型中空糸膜エレメントは、取水口から棒状の治具を挿入することで、安定した状態で吊り下げることができるため、第１ハウジングと第２ハウジングとの間が中空糸膜のみで連結される場合にあっても、容易に移動させることができ、移動作業や組付け作業における取扱い性を良好にすることができる。また、取り外しの作業も良好に行える。
また、第１ハウジングと第２ハウジングとの間が中空糸膜のみで連結される場合にあっても、移動作業や組付け作業における取扱い性を良好にできるため、第１ハウジングと第２ハウジングとの間に安定化等のために剛体の連結部材を設けることなく、中空糸膜の配設領域を広げて、中空糸膜の高密度化を図ることができる。さらに、上記のような連結部材を省略することで、高密度化を図りながら、コンパクト化を図ることもできる。【００１３】
また、取水口の上部内面と、第１ハウジングの上部内面全域とが、水平方向で同一面上に位置するようにした場合は、型成形する場合に第１ハウジングの作製が容易になる。
また、第１ハウジングの上部内面が、少なくとも１つ以上の荷重受け部材を含み、この荷重受け部材の下面が、取水口の上部内面と水平方向で同一面上に位置するようにした場合は、既存のハウジングを利用して、第１ハウジングを作製することができる。
また、第１ハウジングの上部内面のうち、突出した取水口の接合部付近の上部内面が、取水口の上部内面と水平方向で同一面上に位置するようにした場合には、接合部付近にかかる荷重を分散させることができる。【００１４】
また、第１ハウジングが、第１突起部と、第２突起部とを有し、第２ハウジングが、第３突起部と、平板状の取付け部を有するようにした場合には、平型中空糸膜エレメントを複数設置可能なフレームに、前記平型中空糸膜エレメントを好適に設置することができる。とりわけ、取水口と反対側に設けられる第２突起部及び第３突起部に、係合する凹部等をフレームに形成すれば、これら凹部に水平方向から第２突起部及び第３突起部を係合することができ、組付けの作業性を向上できる。【００１５】
また、第１〜第３突起部のうち少なくともいずれかの突起部の嵌め込み軸方向の垂直断面が非円形形状であり、突起部の外周に溝が形成され、前記溝に弾性体が嵌め込まれるようにした場合は、第２突起部を凹部等に係合した場合に、この突起部回りの揺動を規制でき、弾性体によって摩耗を抑制できる。
【図面の簡単な説明】
【００１６】
【図１】本発明の第１の実施形態に係る浸漬型水処理装置の斜視図である。
【図２】第１の実施形態に係る浸漬型水処理装置の正面図である。
【図３Ａ】第１の実施形態に係る浸漬型水処理装置が備える平型中空糸膜エレメントの正面図である。
【図３Ｂ】第１の実施形態に係る浸漬型水処理装置が備える平型中空糸膜エレメントの左側面図である。
【図３Ｃ】第１の実施形態に係る浸漬型水処理装置が備える平型中空糸膜エレメントの右側面図である。
【図４】第１の実施形態に係る平型中空糸膜エレメントがラックに設置された状態における平型中空糸膜エレメントの縦断面図である。
【図５】図３ＢのＡ−Ａ線に沿う第１の実施形態に係る平型中空糸膜エレメントの断面図である。
【図６】第１の実施形態に係る平型中空糸膜エレメントのラックに対する設置方法を説明する図である。
【図７】本発明の第２の実施形態に係る平型中空糸膜エレメントの断面図である。
【図８】本発明の中空糸膜エレメント保持装置の正面図である。
【発明を実施するための形態】
【００１７】
以下、本発明の実施形態について図面を参照し説明する。図１は本発明の第１の実施形態に係る浸漬型水処理装置１の斜視図、図２は正面図である。以下の説明では、図２の紙面に向かって上を上方、向かって下を下方、向かって左を左方、向かって右を右方とする。
【００１８】
本実施形態の浸漬型水処理装置１は、膜分離槽２内に設けられた膜モジュールユニット３と、膜洗浄用の散気装置４と、を備え、膜モジュールユニット３には、吸引ポンプ５が接続され、散気装置４には、図示しないブロワーが接続されている。散気装置４は、膜モジュールユニット３の下方に設けられ、上記ブロワーと連通する管状体である散気管６を複数備えている。
【００１９】
散気装置４は、上記ブロワーより送気された空気を散気管６に形成された複数の気体吐出口から放出する。これにより、浸漬型水処理装置１では、散気装置４の気体吐出口から連続的もしくは断続的に散気された気泡が、被処理水の液中を通って膜モジュールユニット３に達し、その後、水面から放出される。
【００２０】
膜モジュールユニット３は、シート状に配列された複数本の液透過性を有する中空糸膜７と、中空糸膜７の上端側を固定し、上方に配される第１ハウジング８と、中空糸膜７の下端側を固定し、下方に配される第２ハウジング９と、を有する平型中空糸膜エレメント１０を複数備え、これら平型中空糸膜エレメント１０を、ラック１１に並設して構成されている。
【００２１】
第１、第２ハウジング８、９はそれぞれ、正面視で長尺な矩形状を呈し、その長手方向を左右方向（すなわち、複数の中空糸膜が配列される方向）に延在させてラック１１に支持されている。第１ハウジング８の左端部には、左方に突出して、ろ過水を流す取水口１２が設けられ、取水口１２にはコ字状にクランクした配管部材１３の一端が接続されている。配管部材１３の他端は、ラック１１の上方に配された集水ヘッダー１４に接続されている。
【００２２】
中空糸膜７には、複数の細孔が形成されており、膜モジュールユニット３では、吸引ポンプ５により膜分離槽２内の被処理水を中空糸膜７の細孔を介して吸引ろ過することで被処理水を固液分離する。各平型中空糸膜エレメント１０で処理された処理水は、配管部材１３を通して集水ヘッダー１４でまとめて集水されるようになっている。
【００２３】
図３Ａ〜Ｃは、それぞれ、平型中空糸膜エレメント１０の正面図、右側面図、左側面図を示し、平型中空糸膜エレメント１０では、第１ハウジング８の取水口１２を設けた左端部に、第１ハウジング８の延在方向に沿って左方に突出する第１突起部１５が形成され、右端部には、第１ハウジング８の延在方向に沿って右方に突出する第２突起部１６が形成されている。第１突起部１５は前記延在方向に垂直な断面が円形であり、取水口１２の下方に位置する。第１突起部１５の外周には周方向に沿って溝１７が形成され、この溝１７には弾性体としてリング状の樹脂弾性体１８が嵌め込まれている。また、第２突起部１６の前記延在方向に垂直な断面は非円形形状であり、同様に外周に周方向に沿って溝１９が形成され、この溝１９には樹脂弾性体２０が嵌め込まれている。
【００２４】
一方、第２ハウジング９の右端部には、第２ハウジング９の延在方向に沿って右方に突出する第３突起部２１が形成されるとともに、左端部には、平板状の取付け部２２が左方に突出して設けられている。第３突起部２１の外周には溝２３が形成され、この溝２３にはリング状の樹脂弾性体２４が嵌め込まれている。
前記樹脂弾性体としては、突起部の形状に合わせたパッキンや樹脂成型材が挙げられる。材質は、EPDM、シリコーン、NBRなどが挙げられる。
【００２５】
本発明の浸漬型水処理装置において、平型中空糸膜エレメント１０は、上記第１突起部１５、第２突起部１６、第３突起部２１、及び取付け部２２を介してラック１１に固定され、図１、図２に示すように、ラック１１は、複数のフレーム部材から構成されている。ラック１１は、散気装置４の左右から立ち上がる左右立設フレーム２５Ｌ，２５Ｒの上部にクロスフレーム２６を架設し、左立設フレーム２５Ｌの上部からエレメントの連設方向に延出する左上部フレーム２７と、左立設フレーム２５Ｌの下部からエレメントの連設方向に延出する左下部フレーム２８と、右立設フレーム２５Ｒの上部からエレメントの連設方向に延出する右上部フレーム２９と、右立設フレーム２５Ｒの下部からエレメントの連設方向に延出する右下部フレーム３０と、紙面奥側に位置し左右立設フレーム２５Ｌ，２５Ｒと同様の図示省略するフレームと、を有する。
【００２６】
図４に示すように、右上部フレーム２９には、第２突起部１６が係合する係合孔３１が、設置されるエレメントの数に対応して複数形成され、右下部フレーム３０には、第３突起部２１が係合する係合孔３２が、設置されるエレメントの数に対応して複数形成されている。第２突起部１６は係合孔３１に係合し、第３突起部２１が係合孔３２に係合するように形成されている。
また、左上部フレーム２７には、左上部フレーム２７から垂下して第１突起部１５に係合する固定プレート３３が、設置されるエレメントの数に対応して複数固定されている。また、図２に示すように、左下部フレーム２８には、取付け部２２を螺合固定するネジ孔３４が複数形成され、取付け部２２がボルトによって締結されている。
【００２７】
図５に示すように、本実施形態の平型中空糸膜エレメント１０は、取水口１２の上部内面と、第１ハウジング８の上部内面全域とが、水平方向で同一面上に位置するように構成されている。なお、図４、図５において、３５はポッティング樹脂を示している。ポッティング樹脂３５は、中空糸膜７を第１ハウジング８、第２ハウジング９に固定する。
ここで「上部内面」とは、ハウジング及び取水口内壁に設けられ、垂直方向荷重を生じる面を意味する。またハウジングの上部内面「全域」とは、ハウジングの長手方向の内面長さの概全域を示す。
ポッティング樹脂としては、エポキシ樹脂、不飽和ポリエステル樹脂、ポリウレタン樹脂、シリコーン系充填材、各種ホットメルト樹脂等が挙げられる。また、固定用樹脂の初期の粘度は、３，０００〜２００，０００ｍＰａ・ｓ、好ましくは５，０００〜１００，０００ｍＰａ・ｓ、さらに好ましくは１０，０００〜５０，０００ｍＰａ・ｓである。
【００２８】
本実施形態の平型中空糸膜エレメント１０では、取水口１２から挿入軸方向の垂直断面が円形である治具３６を第１ハウジング８内に挿入することができる。治具３６を水平方向に沿わせれば、平型中空糸膜エレメント１０が治具３６に第１ハウジング８を水平方向に沿わせた状態で吊り下がる。これにより、ラック１１への組付け作業の際に、図６に示すように、作業者は、治具３６を水平方向に沿わせて平型中空糸膜エレメント１０を吊り下げた状態とし、平型中空糸膜エレメント１０を一方向からラック１１に設置することができる。
また、本発明の平型中空糸膜エレメントにおいて、前記取付け部は、フレームを平型中空糸膜エレメントにボルトで締結できるように形成されている。
ここで、「治具の挿入軸方向」とは、治具のうち、実際に第一ハウジング内に挿入される部分の長手方向中心軸を意味する。例えば、図６に示す治具は、挿入される部分は棒状であるから、その嵌め込み軸方向は当該棒状部分の長手方向となる。
【００２９】
図８に示すように、冶具３６は、第１ハウジング８内に挿入することができ、中空糸膜エレメント１０を保持するための棒状のエレメント保持部３８と、支柱３９から構成される。
エレメント保持部３８は、平型中空糸膜エレメント１０の荷重をたわむことなく受け止める強度を有するように、かつ、第１ハウジング８の内面を損傷することが無いように設計されている必要がある。
エレメント保持部３８の形状は、第１ハウジング８内に設けられた、同一水平面に設けられた突起部（すなわち、第１ハウジング８の上部内面）と係合すること、及び強度を保つことが重要であるが、前記事項らを満たせば任意の断面形状に設計することができる。
荷重に対するたわみ強度を有し、第１ハウジング８の内面を損傷させにくい形状として、例えば、鉛直方向に縦長のＩ字型やＴ字型の断面を用いることで、第１ハウジング８の内面との接触を最小限に抑えることができる。
またエレメント保持部３８の先端の断面積を減少させるとともに、先端を面取り又は球状にすることで、第１ハウジング８への挿入を円滑に行える。
またエレメント保持部３８の長さは、中空糸膜エレメント１０の荷重をたわみなく保持できる長さであれば任意に設計できるが、挿入の円滑さや、冶具脱着の容易さを考慮して、第１ハウジング８の長さの２分の１以下とすることが好ましく、３分の１以下であることがより好ましい。
また、エレメント保持部３８には、平型中空糸膜エレメント１０を運搬中に平型中空糸膜エレメント１０が脱落しない様に、平型中空糸膜エレメント１０の固定手段を有していることが好ましい。
支柱３９は、エレメント保持部３８とエレメント保持部に保持された平型中空糸膜エレメント１０の荷重に対して、十分な強度を有して設計されていることが重要である。
また、支柱３９はエレメント保持部３８の保持高さを任意に変更できる高さ調整手段を有していることが好ましい。
冶具３６の材質は、特に限定されないが、強度が高く腐食性の少ないステンレス鋼材や、ＦＲＰ（繊維強化プラスチック）が好ましい。
【００３０】
ここで、本実施形態では、治具３６が水平方向に沿う状態を維持するために、同図に示すように、治具３６を台車３７に固定する。このようにして、治具３６の水平状態を維持すれば、平型中空糸膜エレメント１０をラック１１に設置する際、図４に示すように、第２突起部１６及び第３突起部２１をそれぞれ係合孔３１、３２に容易に係合させて位置決めでき、平型中空糸膜エレメント１０の組付け作業が容易となる。また、平型中空糸膜エレメント１０の組付けの際は、固定プレート３３を取外す必要があるが、図６に示すように、治具３６の外側に露出した部位に係合しておけば、平型中空糸膜エレメント１０を設置する際に固定プレート３３の固定作業が容易に行える。
【００３１】
以上に説明したように、本実施形態の平型中空糸膜エレメント１０は、取水口１２から棒状の治具３６を挿入することで、安定した状態で吊り下げることができるため、第１ハウジング８と第２ハウジング９との間が中空糸膜７のみで連結される場合にあっても、平型中空糸膜エレメント１０を容易に移動させることができ、移動作業や組付け作業における取扱い性を良好にすることができる。また、取り外しの作業も良好に行える。
また、第１ハウジング８と第２ハウジング９との間が中空糸膜７のみで連結される場合にあっても、移動作業や組付け作業における取扱い性を良好にできるため、第１ハウジング８と第２ハウジング９との間に安定化等のために剛体の連結部材を設けることなく、中空糸膜７の配設領域を広げて、膜面積を増大させることで、中空糸膜エレメントあたりの処理能力を高く設計することができる。なお、上記連結部材がある場合にあっても、安定して吊り下げ可能であるので、取扱い性に優れる。
【００３２】
また、上記実施形態では、取水口１２の上部内面と、第１ハウジング８の上部内面全域とが、水平方向で同一面上に位置するようにしているが、この構成では、型成形する場合に第１ハウジング８の作製が容易になる。
【００３３】
また、第１ハウジング８に、第１突起部１５と、第２突起部１６とを設け、第２ハウジング９に、第３突起部２１と、取付け部２２とを設け、フレーム１１に、平型中空糸膜エレメント１０を設置するようにし、第２突起部１６及び第３突起部１７が、フレーム１１に形成された係合孔３１、３２に水平方向から係合するように構成したので、組付けの作業性を向上できる。
【００３４】
さらに、第１突起部１５、第２突起部１６、第３突起部２１はそれぞれ、樹脂弾性体１８，２０，２４が取付けられているため、ラック１１に支持された際の揺動が抑制され、摩耗を抑制できる。さらに、第２突起部１６の嵌め込み軸方向に対する垂直断面の形状が非円形形状であるため、平型中空糸膜エレメント１０全体の揺動を抑制できる。
ここで、「嵌め込み軸方向」とは、第１エレメントの治具が挿入される方向と一致する方向である。例えば、図６の場合、挿入される治具の棒状部分の長手方向と一致する方向をいう。
なお、「非円形形状」とは、具体的には楕円形状や十字型や多角型などが挙げられるが、汎用Ｏリングを樹脂弾性体として使用できることから、楕円形状がより好ましい。
【００３５】
なお、上記第１の実施形態では、取水口１２の上部内面と、第１ハウジング８の上部内面全域とが、水平方向で同一面上に位置する構成を説明したが、第１ハウジング８の上部内面の一部が下方に突出し、その下面が取水口１２の上部内面と水平方向で同一面上に位置するようにしても構わない。
【００３６】
上記のように、冶具３６を用いることで第１ハウジング８内にエレメント保持部を挿入するだけで、保持・運搬・組付けを容易に行うことが出来る。
また、第１ハウジング８内にエレメント保持部を挿入するだけの簡易な構造での保持・運搬・組付けにより、第１ハウジング８の外周部には余分な保持機構や接合構造を設ける必要が無いため、複数の中空糸膜エレメントを限られたスペースで保持・固定した場合でも、お互いが干渉したりしない、非処理流体の流れを妨げたりすることがない。
【００３７】
次に、本発明の第２の実施形態について説明する。上記第１の実施形態と同様の構成要素については同一符号を示し、説明を省略する。
【００３８】
本実施形態では、図７に示すように、取水口１２の上部内面と、第１ハウジング８’の上部内面全域とが、水平方向で同一面上に位置しないが、第１ハウジング８’の上部内面に別体で設けた２つの荷重受け部材４０の下面が、取水口１２の上部内面と水平方向で同一面上に位置するように構成されている。荷重受け部材４０の双方は、第１ハウジング８’の長手方向中央を基準に取水口１２側と反対側に配されている。
ここで荷重受け部材とは、第１ハウジングの上部内面が、取水口の上部内面と水平方向で同一面上に位置しない場合、すなわち、第１ハウジングの上部内面が、取水口の上部内面よりも上方に位置する場合に、この荷重受け部材の下面が取水口の上部内面と水平方向で同一面上に位置するように、第１ハウジングの上部内面に配置される部材である。また、荷重受け部材は、平型中空糸膜エレメントを後述する中空糸膜エレメント保持装置に吊り下げた場合に、平型中空糸膜エレメントの全重量を支える役割を担う部材である。
【００３９】
このような構成では、既存のハウジングを利用して、ハウジング内に冶具（すなわち、エレメント保持部）を挿入し、中空糸膜エレメントを保持・運搬・組付けすることができる第１ハウジング８’を作製することができる。なお、上記第２の実施形態では、荷重受け部材４０を２つ設けたが、１つでも３つ以上設けてもよい。なお、第１、第２の実施形態を通し、第１ハウジング８又は８’の上部内面の一部を取水口１２の上部内面と一致させる場合は、上部内面の一部は、少なくとも、前記ハウジング長手方向中央を基準に取水口１２側と反対側に配されることが好ましく、このようにすれば、取水口１２から離間する治具３６挿入時の姿勢は安定する。
また、第１ハウジングの８又は８’の上部内面のうち、突出した取水口１２の接合部付近を、取水口１２の上部内面と水平方向で同一面上に位置するようにしてもよく、この場合は、取水口１２と第１ハウジングの８又は８’との接合部付近にかかる荷重を分散させることができる。
ここで第１ハウジングの上部内面における「接合部付近」とは、第１ハウジングと取水口とが接合する部分（接合部）から、第１ハウジングの上部内面全体の０〜２５面積％の部分を意味する
【００４０】
以上、本発明の実施形態について説明したが、本発明は上記した実施形態に限定されるものではなく、その趣旨を逸脱しない範囲で適宜変更可能である。
【産業上の利用可能性】
【００４１】
本発明の平型中空糸膜エレメントは、取水口から棒状の治具を挿入することで、安定した状態で吊り下げることができるため、第１ハウジングと第２ハウジングとの間が中空糸膜のみで連結される場合にあっても、容易に移動させることができ、移動作業や組付け作業における取扱い性を良好にすることができる。また、取り外しの作業も良好に行える。
また、第１ハウジングと第２ハウジングとの間が中空糸膜のみで連結される場合にあっても、移動作業や組付け作業における取扱い性を良好にできるため、第１ハウジングと第２ハウジングとの間に安定化等のために剛体の連結部材を設けることなく、中空糸膜の配設領域を広げて、中空糸膜の高密度化を図ることができる。さらに、上記のような連結部材を省略することで、高密度化を図りながら、コンパクト化を図ることもできる。
【符号の説明】
【００４２】
１  浸漬型水処理装置
７  中空糸膜
８，８’  第１ハウジング
９  第２ハウジング
１０  平型中空糸膜エレメント
１２  取水口
１５  第１突起部
１６  第２突起部
１７  溝
１８  樹脂弾性体
１９  溝
２０  樹脂弾性体
２１  第３突起部
２３  溝
２４  樹脂弾性体
４０  荷重受け部材
【図１】
0005626355.tif 000002
【図２】
0005626355.tif 000003
【図３Ａ】
0005626355.tif 000004
【図３Ｂ】
0005626355.tif 000005
【図３Ｃ】
0005626355.tif 000006
【図４】
0005626355.tif 000007
【図５】
0005626355.tif 000008
【図６】
0005626355.tif 000009
【図７】
0005626355.tif 000010
【図８】
0005626355.tif 000011